(57)【要約】【課題】  産性の高い、記録紙の汚れのない高品質画像を出力可能な、小型の、簡単な構造の、低価格の定着装置、及び、該定着装置を有する画像形成装置の提供。【解決手段】  定着装置の加熱ローラの非通紙部を冷却する冷却手段を有する定着装置において、前記冷却手段は、前記加熱ローラを冷却する風を送風する送風手段と、前記加熱ローラの外周面に沿って前記風を流す通風手段とを有していることを特徴とする定着装置。【選択図】        図２
2006145827.tif 000002
【特許請求の範囲】
【請求項１】
定着装置の加熱ローラの非通紙部を冷却する冷却手段を有する定着装置において、
前記冷却手段は、前記加熱ローラを冷却する風を送風する送風手段と、前記加熱ローラの外周面に沿って前記風を流す通風手段とを有していることを特徴とする定着装置。
【請求項２】
前記通風手段は前記加熱ローラの外周面に沿って所定の間隙を隔てた円弧状の内周面を有する基材と、基材から前記加熱ローラと反対側に張り出した複数の突起とを有していることを特徴とする請求項１に記載の定着装置。
【請求項３】
前記通風手段は前記加熱ローラの円周方向の一部、且つ非通紙領域に設けられていることを特徴とする請求項１又は２に記載の定着装置。
【請求項４】
前記送風手段は小サイズの記録紙を通紙時に駆動されることを特徴とする請求項１〜３のいずれか１項に記載の定着装置。
【請求項５】
前記突起は板状のフィン、又は棒状の突起であることを特徴とする請求項１〜４のいずれか１項に記載の定着装置。
【請求項６】
前記加熱ローラを冷却する風、及び前記冷却手段を流れた風が通紙領域に流入することを防止する遮風板を有していることを特徴とする請求項１〜５のいずれか１項に記載の定着装置。
【請求項７】
定着装置の加圧ローラの非通紙部を冷却する冷却手段を有する定着装置において、
前記冷却手段は、前記加圧ローラを冷却する風を送風する送風手段と、前記加圧ローラの外周面に沿って前記風を流す通風手段とを有していることを特徴とする定着装置。
【請求項８】
前記通風手段は前記加圧ローラの外周面に沿って所定の間隙を隔てた円弧状の内周面を有する基材と、基材から前記加圧ローラと反対側に張り出した複数の突起とを有していることを特徴とする請求項７に記載の定着装置。
【請求項９】
前記通風手段は前記加圧ローラの円周方向の一部、且つ非通紙領域に設けられていることを特徴とする請求項７又は８に記載の定着装置。
【請求項１０】
前記送風手段は小サイズの記録紙を通紙時に駆動されることを特徴とする請求項７〜９のいずれか１項に記載の定着装置。
【請求項１１】
前記突起は板状のフィン、又は棒状の突起であることを特徴とする請求項７〜１０のいずれか１項に記載の定着装置。
【請求項１２】
前記加圧ローラを冷却する風、及び前記冷却手段を流れた風が通紙領域に流入することを防止する遮風板を有していることを特徴とする請求項７〜１１のいずれか１項に記載の定着装置。
【請求項１３】
請求項１〜１２のいずれか１項に記載の定着装置を備えたことを特徴とする画像形成装置。
【発明の詳細な説明】
【技術分野】
【０００１】
本発明は、冷却手段を有する定着装置、及び、該定着装置を備えた画像形成装置に関する。
【背景技術】
【０００２】
複写機、プリンタ、ファクシミリ等の電子写真方式の画像形成装置においては、原稿画像に対応した潜像を感光体ドラムに形成し、この潜像にトナーを付与することによって顕像化し、この顕像化されたトナー画像を指定されたサイズの記録紙上に転写し、この後、記録紙上に形成されたトナー画像を定着している。
【０００３】
このような未定着トナー画像を定着する定着装置としては、加熱部材を内蔵した加熱ローラと、記録紙を加熱ローラに加圧する加圧ローラとを有し、加熱ローラと加圧ローラにより未定着画像が形成された記録紙を挟持・搬送しながら、加熱・加圧して定着する熱ローラ定着方式の定着装置があり、このような定着装置は構成が簡便であると共に記録紙上への定着性が良好であるため、広く利用されている。
【０００４】
また、近年のウオームアップ時間の短縮要望のため加熱ローラの基材の薄肉化が図られ、そのために加熱ローラの軸方向の熱伝導が下がり軸方向の表面温度分布が均一になりにくいという現象が発生している。
【０００５】
このような方式の定着装置においては、未定着トナー画像が加熱ローラとの接触により加熱され、トナーが溶融されるため、通紙部では加熱ローラ等の熱が吸収・消費され所定の定着温度に維持されるが、小サイズの通紙時には加熱ローラ等に非通紙部を発生し、この非通紙部では上述した熱の吸収・消費が行われないため所定の定着温度を超えてしまい、それ以上のサイズの通紙時にホットオフセット（トナーが溶融しすぎて加熱ローラ等にトナーが付着してしまう現象）により記録紙を汚してしまう場合や、ブリスタを生ずる場合がある。
【０００６】
ここで、通紙部とは加熱ローラ等の記録紙が搬送される部分を指し、非通紙部とは加熱ローラ等の軸長に対して搬送する記録紙の幅が小さく記録紙が搬送されない部分（例えばＡ４紙長辺の長さの加熱ローラに対して、Ａ４紙を短辺方向に搬送するような場合やＡ５紙等を搬送する場合のように、記録紙が搬送されない部分）を指す。
【０００７】
また、通紙領域とは通紙部の円周方向延長領域を指し、非通紙領域とは非通紙部の円周方向延長領域を指す。
【０００８】
このような記録紙の汚れを防止する手段として、
加熱ローラに内装した複数の加熱源を選択的に加熱して、小サイズに対しては非通紙部に対応する位置の加熱源をＯＦＦにする定着装置が知られている（例えば特許文献１参照。）。
【０００９】
また、使用記録紙サイズに応じた非通紙部に加熱ローラの冷却のための冷却風を吹きかける画像形成装置や定着装置が知られている（例えば特許文献２、３参照。）。
【特許文献１】特開昭６３−９２９４９号公報
【特許文献２】特開平４−５１１７９号公報
【特許文献３】特開平５−１０７９８３号公報
【発明の開示】
【発明が解決しようとする課題】
【００１０】
特許文献１においては、多種のサイズの記録紙に対応するためには加熱ローラに内装した加熱源が最低３本以上必要で、通紙する記録紙のサイズに応じて所定の加熱源をＯＮ／ＯＦＦ制御するため、ＯＮ／ＯＦＦに対して表面温度の変化が遅れ所定の定着温度になるのに時間が掛かり生産性が低下する、ローラの直径が大きくなる、また、コストアップする等の問題があった。
【００１１】
特許文献２、３においては、冷却風を加熱ローラ端部（非通紙部）に単に吹きかけるのみなので、吹きつけ部が冷却されるのみでその他の部分は冷却効果が及ばず十分な冷却を行えず、小サイズ記録紙の処理中に端部（非通紙部）の表面温度が上昇してしまい、次に大サイズの記録紙を処理する時にホットオフセットによる記録紙汚れや、ブリスタが発生しやすいという問題があった。
【００１２】
本願発明は上記問題点に鑑み、生産性の高い、記録紙の汚れのない高品質画像を出力可能な、小型の、簡単な構造の、低価格の定着装置、及び、該定着装置を有する画像形成装置を提供することを目的とする。
【課題を解決するための手段】
【００１３】
上記目的は下記請求項に記載の発明により達成される。
【００１４】
請求項１の発明は、定着装置の加熱ローラの非通紙部を冷却する冷却手段を有する定着装置において、前記冷却手段は、前記加熱ローラを冷却する風を送風する送風手段と、前記加熱ローラの外周面に沿って前記風を流す通風手段とを有していることを特徴とする定着装置である。
【００１５】
請求項２の発明は、前記通風手段は前記加熱ローラの外周面に沿って所定の間隙を隔てた円弧状の内周面を有する基材と、基材から前記加熱ローラと反対側に張り出した複数の突起とを有していることを特徴とする請求項１に記載の定着装置である。
【００１６】
請求項３の発明は、前記通風手段は前記加熱ローラの円周方向の一部、且つ非通紙領域に設けられていることを特徴とする請求項１又は２に記載の定着装置である。
【００１７】
請求項４の発明は、前記送風手段は小サイズの記録紙を通紙時に駆動されることを特徴とする請求項１〜３のいずれか１項に記載の定着装置である。
【００１８】
請求項５の発明は、前記突起は板状のフィン、又は棒状の突起であることを特徴とする請求項１〜４のいずれか１項に記載の定着装置である。
【００１９】
請求項６の発明は、前記加熱ローラを冷却する風、及び前記冷却手段を流れた風が通紙領域に流入することを防止する遮風板を有していることを特徴とする請求項１〜５のいずれか１項に記載の定着装置である。
【００２０】
請求項７の発明は、定着装置の加圧ローラの非通紙部を冷却する冷却手段を有する定着装置において、前記冷却手段は、前記加圧ローラを冷却する風を送風する送風手段と、前記加圧ローラの外周面に沿って前記風を流す通風手段とを有していることを特徴とする定着装置である。
【００２１】
請求項８の発明は、前記通風手段は前記加圧ローラの外周面に沿って所定の間隙を隔てた円弧状の内周面を有する基材と、基材から前記加圧ローラと反対側に張り出した複数の突起とを有していることを特徴とする請求項７に記載の定着装置である。
【００２２】
請求項９の発明は、前記通風手段は前記加圧ローラの円周方向の一部、且つ非通紙領域に設けられていることを特徴とする請求項７又は８に記載の定着装置である。
【００２３】
請求項１０の発明は、前記送風手段は小サイズの記録紙を通紙時に駆動されることを特徴とする請求項７〜９のいずれか１項に記載の定着装置である。
【００２４】
請求項１１の発明は、前記突起は板状のフィン、又は棒状の突起であることを特徴とする請求項７〜１０のいずれか１項に記載の定着装置である。
【００２５】
請求項１２の発明は、前記加圧ローラを冷却する風、及び前記冷却手段を流れた風が通紙領域に流入することを防止する遮風板を有していることを特徴とする請求項７〜１１のいずれか１項に記載の定着装置である。
【００２６】
請求項１３の発明は、請求項１〜１２のいずれか１項に記載の定着装置を備えたことを特徴とする画像形成装置である。
【発明の効果】
【００２７】
請求項１〜３、５、また７〜９、１１に記載の発明によれば、小サイズ記録紙の処理中に加熱ローラ等の非通紙の温度上昇を抑制することにより、生産性を下げずにホットオフセットやブリスタ等による汚れのない高品質画像の出力が可能となる定着装置の提供ができる。
【００２８】
請求項４、１０に記載の発明によれば、大サイズ記録紙処理時には冷却を中止しアンダーオフセットによる記録紙汚れを防止することが可能となる定着装置の提供ができる。
【００２９】
請求項６、１２に記載の発明によれば、通紙領域の加熱ローラ等の温度低下を防止し、アンダーオフセットによる記録紙汚れを防止することが可能な定着装置の提供ができる。
請求項１３に記載の発明によれば、上述した効果を有する定着装置を搭載した画像形成装置の提供ができる。
【発明を実施するための最良の形態】
【００３０】
以下本発明の実施の形態について説明するが、本欄の記載は請求項の技術的範囲や用語の意義を限定するものではない。
【００３１】
また、各図面で同一部材については同一番号、記号を付してある。
【００３２】
図１は画像形成装置の断面図である。
【００３３】
本発明の定着装置を有する画像形成装置について、加熱ローラの非通紙部を冷却する冷却手段を有する画像形成装置を例に取り、その一例を図１の縦断面図により説明する。
【００３４】
なお、本発明の冷却手段は、定着装置の加熱ローラ、または、加圧ローラ、または、加熱ローラ及び加圧ローラのいずれにも備えることは可能であるが、加熱ローラに備えた場合について説明する。
【００３５】
冷却手段１０を設けた定着装置９を有する画像形成装置１は、画像形成装置本体２の上部に自動原稿送り装置３を有し、画像形成装置本体２は、画像読み取り手段４、画像書き込み手段５、画像形成手段６、給紙手段７、及び排紙再給紙手段８等から構成されている。
【００３６】
自動原稿送り装置３は、原稿載置台３１に載置された原稿を原稿分離手段３２によって１枚ずつ原稿搬送手段３３に送り出し、原稿搬送手段３３は送られた原稿を原稿排紙手段３４に搬送し、原稿排紙手段３４は送られた原稿を原稿排紙台３５に排紙する。原稿画像は原稿搬送路に設けられた、画像読み取り手段４の原稿画像読み取り位置であるスリット４１にて読み取りがなされる。
【００３７】
画像読み取り手段４は、原稿画像を読み取って画像データを得るための手段であり、スリット４１の位置にて、ランプ４２により光照射された原稿画像を第１ミラーユニット４３、第２ミラーユニット４４及び結像レンズ４５によりライン状のＣＣＤである撮像素子４６に結像させている。撮像素子４６から出力された信号は、制御手段Ｃ１の画像処理部においてＡ／Ｄ変換、シェーディング補正、画像圧縮等の処理がなされてデジタル化された原稿画像データとしてメモリＭ１にストアされる。
【００３８】
画像書き込み手段５は、メモリＭ１から呼び出されたデジタル化された原稿画像データに基づいて発せられるレーザビームをポリゴンミラーにより走査して、帯電手段６２によって一様帯電されて回転している感光体ドラム６１の面上に原稿画像に対応した静電潜像を形成する。
【００３９】
画像形成手段６において、前記静電潜像が現像手段６４により反転現像され、トナー画像が感光体ドラム６１上に形成される。
【００４０】
上述の動作に対応して、手差し給紙手段７１、又は記録紙Ｐを収容するカセットやトレイを有する給紙手段７から記録紙Ｐが給送され、搬送ローラ７２により搬送され、タイミングローラ７３によって感光体ドラム上に形成された前記トナー画像との位置合わせのための同期が取られて転写領域に送り出される。
【００４１】
転写領域において、感光体ドラム６１の表面に形成されたトナー画像は、転写手段６５により反対極性に帯電された記録紙Ｐに転写される。
【００４２】
トナー画像を担持した記録紙Ｐは、分離除電手段６６の作用により、感光体ドラム６１の表面から分離し、定着装置９に送られる。
【００４３】
定着装置９において、トナー画像を担持した記録紙Ｐは、記録紙上に担持されたトナー像を定着する加熱ローラ９１と記録紙Ｐを加熱ローラ９１に加圧させる加圧ローラ９２とにより加熱加圧作用を受けながら搬送され、トナー画像が記録紙Ｐに定着された後、搬送ローラ７４、排出ローラ７６によって機外の排紙台７７に排出される。
【００４４】
ここで、加圧ローラ９２は、外周に耐熱性に優れ離型性の良い弾性体であるシリコンゴム等が捲着され、捲着されたシリコンゴム層９２３は加圧時に僅かに変形し、軸方向に延びる細長い略矩形状のニップ領域を形成する。そして、このニップ領域で記録紙Ｐ上のトナーが加熱溶融され定着が行われる。
【００４５】
なお、記録紙Ｐの両面に画像形成をする場合には、第１面の定着を終えた記録紙Ｐを、切換ガイド７５により排紙再給紙手段８に導き、反転部８１にて反転させた後、給紙のための搬送路８２に送り出し、第２面の画像形成に供する。
【００４６】
本実施の形態においては加熱ローラ９１に加熱手段であるハロゲンヒータＨを内装し、記録紙上のトナー像を溶融定着させる。
【００４７】
記録紙Ｐへのトナー画像の転写を終えた感光体ドラム６１の表面は、クリーニング手段６７により残留トナーが除去されて、次なる画像形成に向けての準備がなされる。
【００４８】
図２は定着装置の拡大図である。
【００４９】
冷却手段１０を有する定着装置９の一例を、図２の拡大図に基づいて詳細に説明する。
【００５０】
定着装置９は、加熱部材であるハロゲンヒータＨを内蔵した加熱ローラ９１と、圧縮バネ９２１とアーム９２２との作動により記録紙Ｐを加熱ローラ９１に加圧する加圧ローラ９２と、加熱ローラ９１の非通紙部を冷却するための冷却手段１０等を有している。
【００５１】
冷却手段１０は、加熱ローラ９１を冷却する冷却風Ｗを送風する送風手段であるファン１０１と、
加熱ローラ９１外表面との間に冷却風の通路１００（以下単に通路１００と記す）を形成し、加熱ローラの外周面に沿って冷却風を流す通風手段１０２とを有している。
【００５２】
ファン１０１は軸流ファンを用いている。またシロッコファンでも良い。
【００５３】
冷却風Ｗを通路１００に効率よく送り込む、ファン１０１の排気口と通風手段１０２の冷却風Ｗの入口との間に配設する通風ダクト（不図示）と、通風手段１０２の排気部から排出される排風を周囲にまき散らさずに画像形成装置本体の排気部近傍に導く排気ダクト（不図示）とを設けても良い。
【００５４】
通風手段１０２は、加熱ローラ９１外表面との間に通路１００を形成する基材１２０と、基材１２０から加熱ローラ９１と反対側の外側に張り出した複数の突起１２１とを有している。
【００５５】
そして、冷却風Ｗの多くは通路１００を流れ、一部が突起１２１の間を流れて画像形成装置外に排出される。
【００５６】
ここで、通路１００を流れる冷却風Ｗの風速は１〜５ｍ／ｓｅｃが好ましい。
【００５７】
１ｍ／ｓｅｃより小さいと加熱ローラ表面に接する冷却風量が少なくなり冷却効果が減じてしまい、５ｍ／ｓｅｃより大きくても冷却効果は飽和してしまい上がらなくなるばかりでなく、冷却風が記録紙Ｐの搬送を阻害する可能性性が高くなる。
【００５８】
基材１２０の加熱ローラ９１との対向面１２２（以下基材の加熱ローラとの対向面を内周面１２２と記す）は、加熱ローラ外周面９１１に沿って所定の間隙寸法ｄを隔てた円弧状をなし、加熱ローラ９１と内周面１２２との間隙Ｄが通路１００を形成している。
【００５９】
ここで、間隙寸法ｄは広すぎると加熱ローラ表面に接する冷却風量が少なくなり冷却風Ｗの風速が上がらず、また装置が大型となり、狭すぎても冷却風Ｗが通路１００の内部を流れにくくなり風速が上がらないため３〜２０ｍｍ、好ましくは３〜１０ｍｍが良い。
【００６０】
複数の突起１２１は加熱ローラ９１の軸方向に延びる板状のフィンで構成されている。また、複数の突起１２１は断面が矩形または正方形または円状をした棒状の突起で構成してもよい。
【００６１】
また、基材１２０はアルミニウム合金よりなり、押し出し成形、ダイカスト等により制作され、内周面１２２が黒色のアルマイト加工が施してある。
【００６２】
ここで、基材の厚さをｔ1ｍｍ、複数の突起１２１のピッチをＰＩｍｍ、高さをｈｍｍ、厚さをｔ2ｍｍとすると、
突起の厚さｔ2は、１〜２
基材の厚さｔ1は、１．５×ｔ2＜ｔ1＜４×ｔ2
突起のピッチＰＩは、４×ｔ2＜ＰＩ＜８×ｔ2
突起の高さｈは、５×ｔ2＜ｈ＜２０×ｔ2
の範囲がよい。
【００６３】
ここで、基材の厚さｔ1は１．５×ｔ2より薄いと基材１２０の温度ムラが生じ冷却効果が下がり、４×ｔ2より厚くしても飽和してしまい冷却効果が上がらない。また、突起のピッチＰＩは４×ｔ2より少なくても冷却効果が上がらず、８×ｔ2より多いと基材１２０の温度ムラが生じ冷却効果が下がってしまう。また、突起の高さｈは５×ｔ2より小さいと冷却効果が小さくなり、２０×ｔ2を超えると冷却効果が上がらなくなる。
【００６４】
１４０は加熱ローラ９１の表面に付着したトナーをクリーニングするクリーニング手段で、１４１は加熱ローラ外周面に圧接されてトナーを除去するクリーニングウエブである。
【００６５】
通風手段１０２は、加熱ローラの円周方向の一部、即ち、少なくとも他の部材と当接しない角度θの領域、且つ加熱ローラの軸方向の非通紙領域に設けられている。
【００６６】
ここで、角度θは広い方向では近傍の部材例えば加熱ローラのクリーニング手段１４０等に当接しない範囲で、狭い方向では冷却風が加熱ローラ表面に接する面積が少なくなり冷却効果が減じない範囲に適宜選択される。
【００６７】
そして、間隙Ｄを流れる冷却風Ｗが加熱ローラの熱を吸収して加熱ローラ９１の非通紙部を冷却し、突起１２１を流れる冷却風Ｗが基材１２０を冷却する。
【００６８】
以上説明したように、加熱ローラの非通紙部に加熱ローラに沿って冷却風を流すことにより非通紙部の表面温度を下げ、加熱ローラ９１の通紙部と非通紙部の温度分布の均一化が行なわれる。
【００６９】
また、基材１２０が加熱され高温となりその輻射熱により加熱ローラを加熱することも、突起１２１に冷却風を流すことにより軽減可能となる。
【００７０】
冷却手段１０は基材１２０から突起１２１への熱伝導を良くし通風手段１０２の温度上昇を防止するために熱伝導率が１００Ｗ／ｍＫ以上の金属、例えばアルミニウム、銅、銅合金、またはヒートパイプ付きアルミニウムで構成する。
【００７１】
図３は冷却手段を記録紙搬送方向から見た図である。
【００７２】
図３を参照して図２で説明し難かった部分について説明する。
【００７３】
Ａは大サイズの記録紙ＰWと小サイズの記録紙ＰSが搬送される通紙部、Ｂは小サイズの記録紙ＰSが搬送されない非通紙部で、通風手段１０２は加熱ローラ９１の軸方向の非通紙部Ｂに設けられている。
【００７４】
そして、冷却風Ｗが間隙Ｄである通路１００と、突起１２１とを流れることにより加熱ローラ９１と通風手段１０２を冷却する。
【００７５】
遮風板１３０は、加熱ローラ９１を冷却する風、及び冷却手段１０を流れた風が通紙領域Ｅに流入することを防止するもので、冷却風を効率良く通路１００と突起１２１に流すことを可能とすると共に、加熱ローラ９１により加熱された冷却風が通紙領域Ｅに流れ込むことを防止している。
【００７６】
以上説明を分かりやすくするためにファン１０１を通風手段１０の上側に取りつけた場合について説明したが、ファン１０１は１点鎖線で示すように加熱ローラ９１の軸端部側に設けても良い。
【００７７】
以下に、加熱ローラの非通紙部の表面温度上昇を抑制し、通紙部と非通紙部の温度差を少なくする作用について図１、２、３を参照して説明する。
【００７８】
制御手段Ｃ１は、ファン１０１を小サイズの記録紙を通紙時に駆動させる、即ち、操作パネル２０の記録紙のサイズ設定スイッチ２１により選択されたサイズ情報を読込み、小サイズの記録紙が選択された場合はファン１０１をＯＮとし、次に大サイズの記録紙が選択されるとＯＦＦとし、選択された小サイズの記録紙の処理が完了するまで冷却風の送風を行なわせる。
【００７９】
また、多サイズを処理するために加熱ローラの軸方向に複数の異なる非通紙部を生じる場合は、サイズに応じて図示しないシャッタを移動して、搬送される記録紙に応じた非通紙部に冷却風を流し込むするようにする。
【００８０】
ファンの回転により冷却風Ｗが通路１００に流れ込み、回転する加熱ローラ９１の非通紙部表面に沿って円周方向且つ軸方向に流れ、非通紙部Ｂを略均等に冷却する。又同時に、複数の突起１２１に流れ込み冷却手段１０を冷却する。
【００８１】
以上により、小サイズの記録紙を処理中に非通紙部Ｂを冷却して非通紙部の温度上昇を抑制し、通紙部Ａと非通紙部Ｂとの温度差を小さくすることにより、小サイズの記録紙を処理後に大サイズの記録紙を処理した時のホットオフセット及びブリスタの発生を防止し、記録紙が汚れることを防止する。
【００８２】
図４は冷却手段の効果を示す図である。
【００８３】
横軸は加熱ローラの中央を０とした時の軸方向距離を示し、縦軸は加熱ローラの表面温度を示している。
【００８４】
また、Ｊは冷却手段がない場合に例えばＡ４記録紙を縦方向に搬送した場合の表面温度を示し、非通紙部において高温となっていることが分かる。また、Ｋは加熱ローラにファンで風を吹き付けた場合の効果を示しており、Ｊに比べて非通紙部の表面温度が下がっていることが分かる。また、Ｌは加熱ローラに冷却手段１０を取り付けた場合で、更に非通紙部の表面温度が下がっていることが分かる。
【００８５】
非通紙部表面温度が略２００℃となることにより、ホットオフセット等の発生を軽減し、記録紙の非通紙部の含有水分が大幅に変化することによる波打ちも軽減する。
【００８６】
図５は他の実施の形態である加圧ローラに冷却手段を備えた定着装置の拡大図である。
【００８７】
加熱ローラのクリーニング手段は図示していない。
【００８８】
この場合は、小サイズの記録紙の定着において、非通紙部が高温となった加熱ローラ９１の熱を圧着して回転する加圧ローラ９２に伝え、伝熱により高温となろうとする加圧ローラ９２の非通紙部の表面温度を冷却手段１０で下げ、低温となった加圧ローラ９２の非通紙部で加熱ローラ９１の非通紙部の温度を吸熱させることにより、加熱ローラの非通紙部表面温度を下げようとするものである。
【００８９】
構成については冷却手段１０が加圧ローラ９２に備えられている以外は加熱ローラに備えた場合と同様なため、説明は省略する。
【００９０】
なお、加圧ローラ９２に冷却手段１０を備える定着装置９は加熱ローラ近傍に冷却手段１０の設置スペースがないような場合に好適に用いられる。
【００９１】
図６は他の実施の形態である加圧ローラ及び加圧ローラに冷却手段を備えた定着装置の拡大図である。
【００９２】
加熱ローラのクリーニング手段は図示していない。
【００９３】
この場合は、加熱ローラ９１に冷却手段１０を備え、加圧ローラ９２に冷却手段１０を備えた場合と同様であるため説明は行わない。
【００９４】
加熱ローラ９１と加圧ローラ９２との両者で冷却が行われるため、加熱ローラ９１の冷却作用はいずれか一方に備えた場合より高く、加熱ローラ９１の非通紙部温度が高い場合に好適に用いることができる。
【００９５】
構成については冷却手段１０が加熱ローラ９１と加圧ローラ９２とに備えられている以外は加熱ローラに備えた場合と同様なため、説明は省略する。
【図面の簡単な説明】
【００９６】
【図１】画像形成装置の断面図である。
【図２】定着装置の拡大図である。
【図３】冷却手段を記録紙搬送方向から見た図である。
【図４】冷却手段の効果を示す図である。
【図５】他の実施の形態である加圧ローラに冷却手段を備えた定着装置の拡大図である。
【図６】他の実施の形態である加圧ローラ及び加圧ローラに冷却手段を備えた定着装置の拡大図である。
【符号の説明】
【００９７】
１  画像形成装置
９  定着装置
１０  冷却手段
９１  加熱ローラ
９２  加圧ローラ
１００  通路
１０１  ファン
１０２  通風手段
１２０  基材
１２１  突起
１３０  遮風板
Ａ  通紙部
Ｂ  非通紙部
【図１】
2006145827.tif 000003
【図２】
2006145827.tif 000004
【図３】
2006145827.tif 000005
【図４】
2006145827.tif 000006
【図５】
2006145827.tif 000007
【図６】
2006145827.tif 000008